(57)【要約】      （修正有）【課題】ガス圧によって弾丸を発射する玩具銃につき、円滑な弾丸発射およびブローバックの作動を行いうるものとする。【解決手段】ボルト１２１は、筒状の嵌合受け部１２１ｉを有する。ボルト１２１が前方にスライドすると、バルブボディの後側部分が嵌合受け部１２１ｉに入り込む。嵌合受け部１２１ｉの後方でその開口に対面する閉口端１２１ｄには、筒体１５１が設けられている。筒体は、ボルト１２１の内部とボルト１２１の外部とを連通する。筒体の内部には、開閉体１５３の軸部１５４がスライド自在に配置される。この開閉体は、軸部の嵌合受け部１２１ｉ側の端に蓋部１５５を、軸部の外部側の端に抜け止め部１５６をそれぞれ有する。開閉体スプリング１５２は、ボルト１２１の閉口端１２１ｄと蓋部との間に配置され、蓋部を嵌合受け部１２１ｉ側に押す。【選択図】図７
2011047614.tif 000002
【特許請求の範囲】
【請求項１】
銃身の前後方向に延びるバレルと、
銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、
前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、
前記放出バルブを後方に押し前記閉位置に位置付ける放出バルブスプリングと、
銃身の前後方向にスライド自在に設けられ、開口を有してこの開口から前記バルブボディの後方側外周を嵌合させる嵌合受け部と、前記開口に対面する前記嵌合受け部の底部に設けられる当接部と、を有し、前記当接部を前記放出バルブに当接させ当該放出バルブを前記開位置に位置付ける押圧位置と、この押圧位置よりも後方で前記当接部を前記放出バルブから離反させる後退位置との間で変位するボルトと、
前記ボルトを前方に押すボルトスプリングと、
前記ボルトの前記底部に設けられる連通部と、
前記連通部に挿通されて当該連通部の内周との間に空隙を形成し、スライド自在に設けられる軸部と、前記軸部の前方端部に設けられ前記連通部を覆う形状を有する蓋部と、前記軸部に設けられ、前記開閉体の前方への脱落を防ぐ抜け止め部と、を備える開閉体と、
前記開閉体を前方に押す開閉体スプリングと、
を備える玩具銃。
【請求項２】
前記連通部は、前記ボルトの前記底部から前方に突出する筒体であり、
前記開閉体スプリングは、前記筒体の周囲に巻きつくように配置される、
請求項１記載の玩具銃。
【請求項３】
前記筒体及び前記開閉体の少なくとも一方は、前記放出バルブに当接して当該放出バルブを前記開位置に位置付ける、
請求項２記載の玩具銃。
【発明の詳細な説明】
【技術分野】
【０００１】
本発明は、使用者がトリガを引くことにより圧縮ガスによる圧力を弾丸に与えて発射する玩具銃に関する。
【背景技術】
【０００２】
従来、玩具銃の愛好者によって自宅内での的当て（プリンキング；ｐｌｉｎｋｉｎｇ）などの遊戯目的で使用され、使用者がトリガを引くことにより圧縮ガスによる圧力を弾丸に与えて発射する玩具銃がある（例えば、特許文献１に記載の自動連射型玩具銃）。
【０００３】
特許文献１に記載の自動連射型玩具銃は、オープンボルト式のものである。この自動連射型玩具銃における弾丸発射時の進退ボルト１１の動きについて、概略的に説明する。進退ボルト１１が銃の後方寄りの待機位置にあるもとでトリガ１が引かれると、リコイルスプリング２７が進退ボルト１１を押し、進退ボルト１１に一体的に設けられたハンマ２１が開閉弁部材５１を殴打する。ハンマ２１の殴打により、弾丸ＢＢはガス圧を受けて銃身２における前端部側に向かう方向に加速し、銃から発射される。そして、銃身２から弾丸ＢＢが発射された略直後において、蓄圧室５０からのガス圧とリバウンドスプリング２９の付勢力とによって、進退ボルト１１は後退に転じる。
【先行技術文献】
【特許文献】
【０００４】
【特許文献１】特開平１０−１９７２００号公報（段落番号００５０〜００５７、図１１）
【発明の概要】
【発明が解決しようとする課題】
【０００５】
玩具銃の使用者の中には、玩具銃に対して、ただ弾丸を発射するのみならず、実銃に類する機能や使用感を求める者も多い。そして、銃身の前後方向に移動するボルトの動きに伴ってバルブが開閉し弾丸の充填及び発射がなされる玩具銃では、ボルトの移動により強い衝撃が発生し、実銃に近い使用感を得ることが可能である。このため、ボルトが移動することで弾丸を発射する玩具銃は、ボルトが固定されている玩具銃よりも人気が高い。
【０００６】
特許文献１に記載の玩具銃は、ボルトが前進してバルブを叩打することによってバルブを開放して弾丸を発射し、次いで、ボルトが後退した後にバルブが閉鎖されるものである。この玩具銃は、前述のように実銃に近い使用感を得られるものである。もっとも、この玩具銃の場合、ハンマとバルブと弾丸とが一直線上には位置しない。しかるに、ハンマとバルブと弾丸とが一直線上に存在するのであれば、弾丸発射機構はより小型化できるし、より効率的にガス圧を弾丸に与えることができるはずである。そこで、特許文献１記載の自動連射型玩具銃とは別に、ハンマとバルブと弾丸とが略一直線上に存在するオープンボルト式の玩具銃が考えられる。
【０００７】
この仮想事例の玩具銃は、可動式のボルトを備える。このボルトは、その後方部分に空気またはガスが流入する空間（可変容積圧力室）を有する。この可変容積圧力室は、弾丸の発射後にガスが流入する空間である。この可変容積圧力室に流入したガスは、その圧力によって、ボルトを後方に押す。そして、可変容積圧力室にガスが満たされている間、ガスはボルトを後方に押し続ける。つまり、上記ボルトは弾丸発射後に後退する。そして、このボルトは、最後退位置に到達する直前に、バルブボディから離反する。これにより、ボルト内の気密が解け、可変容積圧力室の中にあるガスが大気に排出される。その結果、可変容積圧力室内のガスの圧力が弱まる。
【０００８】
このため、仮想事例の玩具銃では、可変容積圧力室を形成する有底筒状部が長いほど、ボルトがガスから圧力を受け続ける時間が長くなり、その結果、仮想事例の玩具銃が使用者に与えるリコイルショックも大きくなる。
【０００９】
しかしながら、有底筒状部を長くすることにより別の問題が発生する。これは、有底筒状部が長いほど、ボルトが有底筒状部に嵌合してからハンマを殴打するまでの移動距離が長くなり、有底筒状部内の空気があたかも緩衝材（エアクッション）のように機能して、ボルトがハンマを殴打する衝撃が弱くなってしまう、という問題である。ここで、ハンマの殴打の衝撃を強くするためにリコイルスプリングを強化すると、ガス圧によってボルトが後退する際のリコイルショックが弱くなってしまう、という新たな問題が発生してしまう。
【００１０】
本発明の目的は、ガス圧によって弾丸を発射する玩具銃の弾丸発射時及びブローバック時に強い衝撃を生じさせつつ、円滑な弾丸発射及びブローバックの作動を同時に実現することである。
【課題を解決するための手段】
【００１１】
本発明の玩具銃は、銃身の前後方向に延びるバレルと、銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、前記放出バルブを後方に押し前記閉位置に位置付ける放出バルブスプリングと、銃身の前後方向にスライド自在に設けられ、開口を有してこの開口から前記バルブボディの後方側外周を嵌合させる嵌合受け部と、前記開口に対面する前記嵌合受け部の底部に設けられる当接部と、を有し、前記当接部を前記放出バルブに当接させ当該放出バルブを前記開位置に位置付ける押圧位置と、この押圧位置よりも後方で前記当接部を前記放出バルブから離反させる後退位置との間で変位するボルトと、前記ボルトを前方に押すボルトスプリングと、前記ボルトの前記底部に設けられる連通部と、前記連通部に挿通されて当該連通部の内周との間に空隙を形成し、スライド自在に設けられる軸部と、前記軸部の前方端部に設けられ前記連通部を覆う形状を有する蓋部と、前記軸部に設けられ、前記開閉体の前方への脱落を防ぐ抜け止め部と、を備える開閉体と、前記開閉体を前方に押す開閉体スプリングと、を備える。
【発明の効果】
【００１２】
本発明によれば、ボルトが前進する間は嵌合受け部内の空気を外部に排出するための流路が確保され、嵌合受け部内の空気は流路に沿って流れて連通部を通って外部に排出されるため、ボルトが放出バルブを押すときの衝撃が弱まらない。また、ボルトが弾丸発射後の圧縮ガスの力を受けるときに蓋部は筒部を閉じており、嵌合受け部内に流入した圧縮ガスが外部に排出されないため、ボルトを後方に押す圧縮ガスの圧力は弱まらない。このため、ガス圧によって弾丸を発射する玩具銃の弾丸発射時及びブローバック時の衝撃を強いものとしながら、同時に円滑な弾丸発射およびブローバックの作動を実現することができる。
【図面の簡単な説明】
【００１３】
【図１】第１の実施の形態において、玩具銃の左側面図である。
【図２】玩具銃の内部構造を示す左断面図である。
【図３】図２のＡ−Ａ線断面図である。
【図４】放出バルブがバレルと気室との連通を閉止している状態を示す左側面図である。
【図５】放出バルブがバレルと気室との連通を開放している状態を示す左側面図である。
【図６】ボルトの左断面図である。
【図７】ボルトの変形例を示す左断面図である。
【図８】バルブボディに対するボルトの動きを示す左断面図である。
【図９】図８に続いて、蓋部が放出バルブの摺動突起に当接した状態を示す左断面図である。
【図１０】図９に続いて、蓋部が放出バルブの摺動突起に当接した状態を示す左断面図である。
【図１１】図１０に続いて、フランジ部がパッキンから離れた状態を示す左断面図である。
【図１２】図２に続いて、ボルトが前方に移動した状態の玩具銃の内部構造を示す左側面図である。
【図１３】図１２に続いて、弾丸Ｂが発射された直後の玩具銃の内部構造を示す左側面図である。
【図１４】図１３に続いて、ボルトが後退した状態の玩具銃の内部構造を示す左側面図である。
【図１５】図１４に続いて、開閉体が前方に動いた状態の玩具銃の内部構造を示す左側面図である。
【図１６】第２の実施の形態において、（ａ）は、蓋部が筒体を閉じていない状態を示す、ボルト、バルブボディ及び放出バルブの左断面図であり、（ｂ）は、蓋部が筒体１５１を閉じている状態を示す、ボルト、バルブボディ及び放出バルブの左断面図である。
【図１７】第３の実施の形態において、（ａ）は、蓋部が筒体を閉じていない状態を示す、ボルト、バルブボディ及び放出バルブの左断面図であり、（ｂ）は、当接部が放出バルブの摺動突起を押している状態を示す、ボルト、バルブボディ及び放出バルブの左断面図である。
【発明を実施するための形態】
【００１４】
実施の一形態を、図１ないし図１５に基づいて説明する。本実施の形態を、説明の便宜上、第１の実施の形態と呼ぶ。本実施の形態は、連射方式の玩具銃への適用例である。
【００１５】
図１は、玩具銃１０１の左側面図である。本実施の形態の玩具銃１０１は、ガスボンベ１０２を取り付けて用いる連射方式の玩具銃である。この玩具銃１０１は、ガスボンベ１０２に封入された圧縮ガスの圧力を弾丸Ｂに与えて、弾丸Ｂを銃口１０３から発射する。使用者は、玩具銃１０１を使用する場合、掌でグリップ１０４を握ってトリガ１０５に指をかけ、銃口１０３を射撃対象物（例えば、的）に向ける。そして、使用者は、指を動かしてトリガ１０５を玩具銃１０１の後方側に引くことで、銃口１０３から弾丸Ｂを発射させることができる。
【００１６】
図２は、玩具銃１０１の内部構造を示す左断面図である。なお、図２、図１２ないし図１５では、ガスボンベ１０２及びグリップ１０４の記載を省いている。また、以下の説明において、銃口１０３がある側を玩具銃１０１の前方側と呼ぶ。また、グリップ１０４がある側を玩具銃１０１の後方側と呼ぶ。
【００１７】
まず、玩具銃１０１の前方部分に備わる各部について説明する。玩具銃１０１は、筐体をなすフレーム１１１と、マガジン１１２と、バレル１１３と、給弾プレート１１４とを備える。本実施例では、フレーム１１１は、銃身の一部をなし、玩具銃１０１の前後方向を規定する。また、マガジン１１２とバレル１１３とは、フレーム１１１から、玩具銃１０１の前方に突出している。もっとも、マガジン１１２およびバレル１１３は、フレーム１１１から突出せずに内部に設けられていてもよい。
【００１８】
マガジン１１２は、一端が閉口端１１２ａとなっている円筒状の部材で、内部に弾丸Ｂを格納可能である。マガジン１１２の内部で閉口端１１２ａの内側面には、マガジンスプリング１１２ｂが取り付けられる。閉口端１１２ａとは反対側になるマガジンスプリング１１２ｂの端部には、弾丸Ｂを押すマガジンフォロワ１１２ｃが取り付けられる。弾丸Ｂは、マガジン１１２の開口端１１２ｄからマガジン１１２の内部に導入される。もっとも、マガジン１１２の開口端１１２ｄ以外の適宜の箇所に開口部を設け、その開口部から弾丸Ｂを導入することも可能である。弾丸Ｂを収納した状態のマガジン１１２は、開口端１１２ｄを玩具銃１０１の後方に向けた状態で、フレーム１１１の前方側に装着される。マガジン１１２は、フレーム１１１に着脱自在とすることも可能であるし、固定して設けることも可能である。
【００１９】
バレル１１３は、円筒状の部材であり、銃身の前後方向に延びている。バレル１１３の前端は、銃口１０３である。このバレル１１３の内径は、弾丸Ｂの直径よりもわずかに大きい。バレル１１３は、フレーム１１１の前方側でマガジン１１２の下方に位置する。
【００２０】
給弾プレート１１４は、直方体状の部材である。給弾プレート１１４は、マガジン１１２と直交しており、フレーム１１１の内部に配置される。給弾プレート１１４は、フレーム１１１内に配置されたガイド部材（図示せず）に支持されて、上下方向に移動自在となっている。給弾プレート１１４の前方を向く面には、フレーム１１１に取り付けられたマガジン１１２の開口端１１２ｄ側の端面と、バレル１１３における銃口１０３とは反対側の開口端１０３ａ側の端面とが当接する。
【００２１】
給弾プレート１１４は、マガジン１１２の開口端１１２ｄと対向する箇所に弾丸保持孔１１４ａを有する。この弾丸保持孔１１４ａは、弾丸Ｂを収納できる大きさの孔である。給弾プレート１１４の下端面は、給弾プレートスプリング１１５に連結する。給弾プレート１１４とは反対側になる給弾プレートスプリング１１５のもう一方の端部は、フレーム１１１の内底面１１１ａに連結する。給弾プレートスプリング１１５は、給弾プレート１１４を上方に押し上げ、弾丸保持孔１１４ａをマガジン１１２の開口端１１２ｄに対向させる。
【００２２】
給弾プレート１１４は、下方に、スロープ１１４ｂを有する。スロープ１１４ｂは、玩具銃１０１の後方から前方にかけて上るよう傾斜する。そして、給弾プレート１１４は、スロープ１１４ｂの上方に、ボルト１２１（後述）の先端部分が通過できる空間１１４ｃを有する。
【００２３】
フレーム１１１に装着されたマガジン１１２内の弾丸Ｂは、マガジンスプリング１１２ｂの付勢力によってマガジンフォロワ１１２ｃに押し出され、給弾プレート１１４の弾丸保持孔１１４ａに収納される。ここで、ボルト１２１が前方へ進出し給弾プレート１１４を押し下げると、弾丸Ｂは、バレル１１３の開口端１０３ａに対向する位置に位置付けられる（図１２参照）。この状態で放出バルブ１２３（後述）が圧縮ガスを前方に噴出すると、弾丸Ｂは前方に押し出され、バレル１１３の内部を通過し、銃口１０３から前方に飛び出す（図１３参照）。
【００２４】
次いで、玩具銃１０１の中腹に備わる各部について、図２に基づいて説明する。玩具銃１０１は、フレーム１１１の内部に、ボルト１２１と、バルブボディ１２２と、放出バルブ１２３と、ボルトスプリング１２４と、パッキン１２２ｃと、放出バルブスプリング１２９とを備える。
【００２５】
ボルト１２１は、玩具銃１０１の前後方向に延びる筒状の部材である。このボルト１２１は、玩具銃１０１の前後方向にスライド自在に設けられていて、押圧位置１２１Ａ（図５参照）と後退位置１２１Ｂ（図４参照）との間を往復できるようになっている。このボルト１２１は、前後方向に一往復する間に放出バルブ１２３に当接及び離反して、バレル１１３と気室１２６（後述）との連通を開閉する。
【００２６】
ボルト１２１は、前方に開く開口１２１ｇを有する。ボルト１２１は、後方に、開口１２１ｇに対面する底部をなす閉口端１２１ｄを有する。そして、ボルト１２１は、後方に嵌合受け部１２１ｉを有する。嵌合受け部１２１ｉは、開口１２１ｇと閉口端１２１ｄを両端に持ち、側面が筒状に覆われている。この嵌合受け部１２１ｉには、開口１２１ｇから、バルブボディ１２２の後方側外周が嵌合する。
【００２７】
ボルト１２１は、上面から上方に突出する凸部１２１ａを有する。ボルト１２１の開口１２１ｇ側の下方は、前方に延出している。ボルト１２１は、この前方に延出する部分の下面に、前方スロープ１２１ｂを有する。この前方スロープ１２１ｂは、後方から前方にかけて上方に向かうよう傾斜する。
【００２８】
ボルトスプリング１２４の一端は、ボルト１２１の閉口端１２１ｄの外側面に当接する。ボルトスプリング１２４の他端は、フレーム１１１の後部内側面１１１ｂに当接する。ボルトスプリング１２４は、後退位置１２１Ｂ（図４も参照）に位置付けられているボルト１２１を前方に押す。この後退位置１２１Ｂについては、図４に基づいて後述する。そして、ボルトスプリング１２４がボルト１２１を前方に押すと、ボルト１２１は前方にスライドし、ボルト１２１の前方スロープ１２１ｂを給弾プレート１１４のスロープ１１４ｂに滑り接触させて、給弾プレート１１４を下方に押し下げる。また、詳細は後述するが、前方に移動して給弾プレート１１４を押し下げた状態のボルト１２１は、貫通孔１２２ｂと摺動突起１２３ｂとの間の空隙Ｓ（後述）を通過する圧縮ガスの圧力を受けて後方に進む。ボルト１２１は、このような前進と後退とを繰り返す往復運動をする。
【００２９】
ボルト１２１は、係止突起１２１ｆを有する。係止突起１２１ｆは、閉口端１２１ｄ側の下面から下方に延出する。
【００３０】
ボルト１２１は、閉口端１２１ｄの内面側に、当接部１２１ｅを有する。当接部１２１ｅは、バルブボディ１２２の後端にある嵌合孔１２２ｆ（次に述べる）に嵌合する。
【００３１】
バルブボディ１２２は、銃身の前後方向に延びる筒状の部材であり、その内部に圧縮ガスで充満される気室１２６を形成する。このバルブボディ１２２の外径は、ボルト１２１の内径よりも小さい。バルブボディ１２２は、開口１２１ｇからボルト１２１に入りこみ、このボルト１２１の内部で前後方向にスライド自在となる。バルブボディ１２２の内空間で玩具銃１０１の前方領域には、放出バルブ１２３（後述）が前方にスライド移動するための空間１２２ｇが確保されている。
【００３２】
バルブボディ１２２は、後蓋１２２ａを後端に有する。後蓋１２２ａの前方を向く端面には、リング状のパッキン１２２ｃが取り付けられている。この後蓋１２２ａは、貫通孔１２２ｂを有する。貫通孔１２２ｂは、銃身の前後方向に貫通して、バルブボディ１２２の外部と放出バルブ１２３の内部とを連通する。貫通孔１２２ｂの後方は、内径が大きい嵌合孔１２２ｆとなっている。嵌合孔１２２ｆには、バルブボディ１２２の外部から、ボルト１２１に備わる当接部１２１ｅが嵌合する。また、貫通孔１２２ｂに対しては、バルブボディ１２２の内部側から、放出バルブ１２３に備わる摺動突起１２３ｂ（後述）が入り込む。この摺動突起１２３ｂは、嵌合孔１２２ｆ側に突出する。
【００３３】
図３は、図２のＡ−Ａ線断面図である。この摺動突起１２３ｂは、後蓋１２２ａの貫通孔１２２ｂに入り込むことができる形状を有する。摺動突起１２３ｂは、貫通孔１２２ｂに入りこむと、この貫通孔１２２ｂの内周面との間に、空隙Ｓを形成する。
【００３４】
図２を再び参照する。バルブボディ１２２は、ガス導入部１２２ｄを有する。ガス導入部１２２ｄは、バルブボディ１２２の下面から下方に突出している。ガス導入部１２２ｄは中空になっていて、バルブボディ１２２の内空間とフレーム１１１よりも外側の空間とを連通している。このガス導入部１２２ｄは、フレーム１１１の内底面１１１ａに設けられた装着孔１１１ｃに嵌合する。その結果、ガス導入部１２２ｄの先端１２２ｅは、フレーム１１１の下方に突出する。ガスボンベ１０２（図２では図示せず）は、このガス導入部１２２ｄの先端１２２ｅに取り付けられる。そして、ガスボンベ１０２は、このガス導入部１２２ｄを介してバルブボディ１２２の内部に圧縮ガスを送り込む。
【００３５】
放出バルブ１２３は、筒状の部材であり、前方の端面は開口している。放出バルブ１２３の外径は、バルブボディ１２２の内径よりも小さい。この放出バルブ１２３は、バルブボディ１２２の内部に位置付けられて、バルブボディ１２２と放出バルブ１２３との間に気室１２６を形成する。
【００３６】
放出バルブ１２３は、後端領域に、フランジ部１２３ａと、摺動突起１２３ｂとを有する。フランジ部１２３ａは、放出バルブ１２３の外周から放射方向に突出する。摺動突起１２３ｂは、放出バルブ１２３の後方の端面から突出する。
【００３７】
図４は、放出バルブ１２３がバレル１１３と気室１２６との連通を閉止している状態を示す左側面図である。図４中、ドット領域は、圧縮ガスで満たされている領域を示す。放出バルブ１２３は、連通路１２３ｃを有する。連通路１２３ｃは、放出バルブ１２３の内部空間の延びる方向に対して傾斜している筒状の空間である。連通路１２３ｃの一端は、放出バルブ１２３の内部空間に連なる。連通路１２３ｃの他端の開口部は、フランジ部１２３ａと摺動突起１２３ｂとの間に現れる。
【００３８】
放出バルブ１２３の外周でその前端領域には、Ｏリング１２７とワッシャ１２８とが取り付けられる。Ｏリング１２７は、図２に示すように、ワッシャ１２８とバルブボディ１２２の内壁とに挟まれる。ワッシャ１２８は、Ｏリング１２７の後方に隣接して位置付けられる。ワッシャ１２８の後方の面には、放出バルブスプリング１２９の一端が接触する。放出バルブスプリング１２９は、放出バルブ１２３の外周に巻きつくように配置される。放出バルブスプリング１２９の他端は、フランジ部１２３ａに接触する。放出バルブスプリング１２９は、ワッシャ１２８を押してＯリング１２７をバルブボディ１２２の内壁に押し付けている。また、放出バルブスプリング１２９は、放出バルブ１２３のフランジ部１２３ａを後方に押してこのフランジ部１２３ａをパッキン１２２ｃに押し付け、放出バルブ１２３を閉位置１２３Ａに位置付ける。このとき、気室１２６は気密になる。この状態では、ガス導入部１２２ｄから気室１２６に導入されたガスは、バルブボディ１２２の前後から漏れない。
【００３９】
図４において、ボルト１２１は、玩具銃１０１の後方の後退位置１２１Ｂに位置付けられている。この後退位置１２１Ｂとは、当接部１２１ｅを放出バルブ１２３の摺動突起１２３ｂから離反させるようなボルト１２１の位置である。このとき、放出バルブ１２３は放出バルブスプリング１２９によって後方に押されている。
【００４０】
図５は、放出バルブ１２３がバレル１１３と気室１２６との連通を開放している状態を示す左側面図である。図５中、矢印は、圧縮ガスの動きを示す。図５において、ボルト１２１は、玩具銃１０１の前方の押圧位置１２１Ａに位置付けられている。押圧位置１２１Ａとは、当接部１２１ｅを放出バルブ１２３の摺動突起１２３ｂに当接させて、放出バルブ１２３を前方に押すようなボルト１２１の位置である。このとき、放出バルブ１２３は前方に動いて放出バルブ１２３と気室１２６の連通を開放させる開位置１２３Ｂに位置付けられる。ボルト１２１が開位置１２３Ｂに位置付けられると、ボルト１２１の当接部１２１ｅが嵌合孔１２２ｆに入り込み、摺動突起１２３ｂを前方に押す。これにより、放出バルブ１２３はバルブボディ１２２内部の空間１２２ｇに向けてスライドする。その結果、フランジ部１２３ａは、パッキン１２２ｃから離反する。気室１２６に満たされた圧縮されたガスは、図５中の矢印に示すように、フランジ部１２３ａとパッキン１２２ｃとの間に形成された隙間から放出バルブ１２３の内部空間に流入し、放出バルブ１２３の前方に噴出して、弾丸Ｂを押し出す。
【００４１】
また、フランジ部１２３ａとパッキン１２２ｃとが離反すると、圧縮ガスは、図５中の矢印に示すように、空隙Ｓにも入り込んで貫通孔１２２ｂを通過する。この圧縮ガスは、ボルト１２１の当接部１２１ｅやボルト１２１の後部内側面１１１ｂ（図２参照）にあたって、ボルト１２１を後方に押す。
【００４２】
放出バルブ１２３が前方に動くと、放出バルブスプリング１２９は放出バルブ１２３を後方に押し返す。これにより、放出バルブ１２３が後方にスライドし、フランジ部１２３ａがパッキン１２２ｃに密接する。その結果、気室１２６は再び気密になる。気密になった状態で、気室１２６は、ガスボンベ１０２から供給された圧縮ガスで満たされる。
【００４３】
図２を再び参照する。次いで、玩具銃１０１の後方部分に備わる各部について説明する。玩具銃１０１は、トリガ１０５と、トリガスプリング１３１と、ボルトシア１３２と、ボルトシアスプリング１３３とを備える。
【００４４】
トリガ１０５は、グリップ１０４（図２では図示せず）の前方に位置する。トリガ１０５は、支点１０５ａを中心に回動自在にフレーム１１１に支持される。支点１０５ａによって、トリガ１０５は、弾丸を発射するための発射位置１０５Ａ（一点鎖線で示すトリガ１０５の位置）と非発射位置１０５Ｂ（実線で示すトリガ１０５の位置）との間で変位自在となっている。トリガ１０５は、支点１０５ａから下方に延出する操作部１０５ｄを有する。また、トリガ１０５は、支点１０５ａから玩具銃１０１の後方に延びる後方延出部１０５ｂを有する。後方延出部１０５ｂの上面には、ボルトシア押上部１０５ｃが上方に突出する。
【００４５】
トリガスプリング１３１は、操作部１０５ｄの後方に位置する。トリガスプリング１３１は、フレーム１１１に取り付けられている。トリガスプリング１３１は、トリガ１０５を時計回りに押し、発射位置１０５Ａに位置付けられたトリガ１０５を非発射位置１０５Ｂに押し戻す。操作者が指で操作部１０５ｄを後方に引くと、トリガ１０５は発射位置１０５Ａに位置付けられる。その後、操作者が操作部１０５ｄから指を離すと、トリガ１０５は非発射位置１０５Ｂまで変位する。
【００４６】
ボルトシア１３２は、ボルトシア押上部１０５ｃの上方かつボルト１２１の下方で、これらに挟まれる位置に設けられている。ボルトシア１３２は、軸芯１３２ａを中心に回動自在にフレーム１１１に取り付けられる。ボルトシア１３２は、平板状の前方突出部１３２ｂと、側面視扇形形状に広がる後方突出部１３２ｃとを有する。前方突出部１３２ｂは、軸芯１３２ａよりも前方に突出している。後方突出部１３２ｃは、軸芯１３２ａよりも後方に突出する。後方突出部１３２ｃの上方は、ボルト１２１の係止突起１２１ｆを止めるストッパ部１３２ｄとなる。後方突出部１３２ｃの下面には、ボルトシアスプリング１３３が当接する。ボルトシアスプリング１３３は、ボルトシア１３２を反時計回りに回動させる。このようなボルトシア１３２において、ボルトシア押上部１０５ｃが前方突出部１３２ｂの下面を押し上げると、ストッパ部１３２ｄは下方に変位し、ボルトシア１３２は許容位置１３２Ａ（一点鎖線で示すボルトシア１３２の位置）に位置付けられる。この許容位置１３２Ａとは、ボルト１２１の係止突起１２１ｆの移動軌跡から離れてボルト１２１の前後方向の往復運動を許容する位置である。一方、ボルトシア押上部１０５ｃがボルトシア１３２から離反すると、ボルトシアスプリング１３３によってストッパ部１３２ｄが上方に変位し、ボルトシア１３２は阻止位置１３２Ｂ（実線で示すボルトシア１３２の位置）に位置付けられる。この阻止位置１３２Ｂとは、ボルト１２１の係止突起１２１ｆの移動軌跡に干渉して、ボルト１２１の往復運動を阻止する位置である。
【００４７】
ボルト１２１の構造について、図６ないし図１１に基づいてさらに詳細に説明する。図６は、ボルト１２１の左断面図である。前述したように、ボルト１２１は筒状の部材であって、銃身の前後方向に往復する間に放出バルブ１２３の摺動突起１２３ｂに当接及び離反し、放出バルブ１２３を前後に動かしてバレル１１３と気室１２６との連通を開閉する。そして、ボルト１２１は嵌合受け部１２１ｉを有していて、ボルト１２１が前方にスライドする途中で、この嵌合受け部１２１ｉにバルブボディ１２２の後方側外周が嵌合する。
【００４８】
ボルト１２１の底部をなす閉口端１２１ｄには、連通部としての筒体１５１が設けられている。筒体１５１は、ボルト１２１の閉口端１２１ｄから前後両方向に突出し、嵌合受け部１２１ｉの内部とボルト１２１の外部とを連通している。嵌合受け部１２１ｉの内側において、筒体１５１には、開閉体スプリング１５２が取り付けられている。開閉体スプリング１５２は、直線状のコイルであって、筒体１５１の周囲に巻きつくように配置されている。
【００４９】
筒体１５１には、開閉体１５３が取り付けられている。開閉体１５３は、軸部１５４と、蓋部１５５と、抜け止め部１５６と、を備える。軸部１５４は、銃身の前後方向に延びる棒状部材で、その太さは筒体１５１の内径よりも細く、その長さは筒体１５１よりも長い。軸部１５４は、筒体１５１に挿通されて、銃身の前後方向にスライド自在となる。この軸部１５４は、筒体１５１の内周との間に空隙Ｔを形成する。また、蓋部１５５は、筒体１５１の端面を覆う大きさを有する円盤状の部材である。蓋部１５５は、軸部１５４の前方端部に設けられる。また、抜け止め部１５６は、軸部１５４の後方端部に設けられる部材である。この抜け止め部１５６は、軸部１５４が前方に動いた場合に筒体１５１の端面に引っかかって、開閉体１５３が前方に脱落するのを防ぐ。本実施の形態において、軸部１５４及び蓋部１５５は一体形成されている。また、抜け止め部１５６は、図６における左側方向（前方）に突出する爪部（図示せず）を有する。そして、軸部１５４は中空の筒状であり、その内部には、抜け止め部１５６の爪部が引っかかる爪受け部（図示せず）が形成されている。
【００５０】
開閉体１５３及び開閉体スプリング１５２は、以下のようにしてボルト１２１に取り付けられる。まず。作業者は、ボルト１２１の内側に突出する筒体１５１の周囲に開閉体スプリング１５２を取り付ける。続いて、作業者は、ボルト１２１の内側に突出する筒体１５１に軸部１５４を挿入して、軸部１５４及び蓋部１５５をボルト１２１の内側に位置付ける。続いて、作業者は、筒体１５１におけるボルト１２１の外側の端部から飛び出した軸部１５４に対して、抜け止め部１５６の爪部（図示せず）を装着する。その結果、図６に示すように、開閉体スプリング１５２は開閉体１５３を前方に押し、蓋部１５５を筒体１５１の端面から離反させる。そして、嵌合受け部１２１ｉ内の空間と、軸部１５４と筒体１５１の内周との間の空隙Ｔと、が繋がる。つまり、図６に示すような気体の流路Ｕが確保される。
【００５１】
ここで、図６において、抜け止め部１５６は、筒体１５１の外側の端面に当接している。このとき、開閉体スプリング１５２の強さは、嵌合受け部１２１ｉ側に流入する圧縮ガスの圧力が大気圧に対し僅かに大きい場合に、その圧縮ガスの圧力が抜け止め部１５６の筒体１５１側に向く面を押してこの抜け止め部１５６を後方に動かす程の強さのものである。
【００５２】
また、変形例として、抜け止め部１５６は、筒体１５１の外側の端面に対して離反していてもよい。
【００５３】
図７は、ボルト１２１の変形例を示す左断面図である。また、図７に示すように、抜け止め部１５６として、筒体１５１の外側の端面の一部を覆い隠す形状のものを採用してもよい。この場合、開閉体スプリング１５２が蓋部１５５を前方に押すと、嵌合受け部１２１ｉ内の空間と、軸部１５４と筒体１５１の内周との間の空隙Ｔと、ボルト１２１の外部の空間と、が繋がる。つまり、図７に示すような流路Ｕ’が確保される。
【００５４】
図８は、バルブボディ１２２に対するボルト１２１の動きを示す左断面図である。ボルト１２１は、ボルトスプリング１２４に押されて直線状に玩具銃１０１の前方にスライド移動する。また、筒体１５１は、ボルト１２１の閉口端１２１ｄにおいて、後蓋１２２ａの嵌合孔１２２ｆに対して後方となる箇所で前方に突出している。そして、この筒体１５１は、嵌合孔１２２ｆの内径よりも細く、この嵌合孔１２２ｆに入り込むことが可能な形状を有する。また、開閉体１５３は、この嵌合孔１２２ｆの内径とほぼ同じ大きさを有し、この嵌合孔１２２ｆに入り込むことが可能となっている。そして、ボルト１２１が前進すると、筒体１５１及び開閉体スプリング１５２は、貫通孔１２２ｂの一部をなす嵌合孔１２２ｆに入り込む。
【００５５】
ここで重要なのは、嵌合受け部１２１ｉとバルブボディ１２２の後蓋１２２ａとに囲まれた空間ＳＰの容積がボルト１２１の前方に伴って小さくなっても、この空間ＳＰ内の空気が流路Ｕを通ってボルト１２１の外部に排出されるということである。その結果、ボルトスプリング１２４によって押されたボルト１２１の前進の勢いが、嵌合受け部１２１ｉ内の空気によって抑えられることはない。
【００５６】
図９は、図８に続いて、蓋部１５５が放出バルブ１２３の摺動突起１２３ｂに当接した状態を示す左断面図である。ボルトスプリング１２４がボルト１２１をさらに前方に押すと、嵌合孔１２２ｆに軸部１５４及び蓋部１５５が入り込む。そして、蓋部１５５は、放出バルブ１２３の摺動突起１２３ｂに接触する。すなわち、筒体１５１及び開閉体１５３は、当接部１２１ｅとしての役割を果たす。
【００５７】
図１０は、図９に続いて、蓋部１５５が放出バルブ１２３の摺動突起１２３ｂに当接した状態を示す左断面図である。ボルトスプリング１２４がボルト１２１をさらに前方に押すと、蓋部１５５が摺動突起１２３ｂを前方に押し込む。その結果、放出バルブ１２３はバルブボディ１２２の内部で前方にスライドしようとする。図１０は、放出バルブ１２３が前方に動き出す直前の状態を示しており、この図においては、フランジ部１２３ａはパッキン１２２ｃから離れていない。
【００５８】
また、蓋部１５５が摺動突起１２３ｂを押し込むとき、蓋部１５５は摺動突起１２３ｂに押される。その結果、開閉体１５３は筒体１５１に沿って後方にスライド移動する。その結果、蓋部１５５は筒体１５１の端面を塞ぐ。
【００５９】
図１１は、図１０に続いて、フランジ部１２３ａがパッキン１２２ｃから離れた状態を示す左断面図である。蓋部１５５が放出バルブ１２３の摺動突起１２３ｂを前方に押すと、フランジ部１２３ａがパッキン１２２ｃから離れる。その結果、気室１２６内に充満した圧縮ガスは、図１１中の矢印のように、空隙Ｓを通って後方に流れ、蓋部１５５やボルト１２１の閉口端１２１ｄを後方に押す。これにより、ボルト１２１の動きは前進から後退に転じる。
【００６０】
ここで重要なのは、蓋部１５５と筒体１５１との間には流路Ｕを形成するような隙間が生じていない、ということである。このため、空隙Ｓを通って蓋部１５５を押す圧縮ガスは、ボルト１２１の外部に漏れることなくボルト１２１を後方に押す圧力を生じさせる、ということである。これにより、玩具銃１０１の使用者は、後退するボルト１２１から強い衝撃を体感することができる。
【００６１】
使用者が玩具銃１０１を使用した場合の各部の動きを、図２、図１２ないし図１５に基づいて説明する。図２を参照する。まず、玩具銃１０１を使用する使用者は、凸部１２１ａを玩具銃１０１の後方に引く操作を行う。図２では、このようにして後方にボルト１２１が位置付けられた状態の玩具銃１０１の内部構造を示している。ボルト１２１が玩具銃１０１の後方に位置付けられると、ボルト１２１の前方スロープ１２１ｂは給弾プレート１１４のスロープ１１４ｂから離反する。そして、給弾プレートスプリング１１５は、給弾プレート１１４を押し上げる。その結果、給弾プレート１１４の弾丸保持孔１１４ａはマガジン１１２の開口端１１２ｄに対向する。この状態で、マガジン１１２内の弾丸Ｂは、マガジンスプリング１１２ｂの押す力によってマガジンフォロワ１１２ｃに押し出され、給弾プレート１１４の弾丸保持孔１１４ａに入り込む。
【００６２】
ボルト１２１が後退する途中で、ボルト１２１の係止突起１２１ｆはボルトシア１３２のストッパ部１３２ｄの上面に当接し、このストッパ部１３２ｄを乗り越える。係止突起１２１ｆがストッパ部１３２ｄを乗り越えると、ボルトシア１３２はボルトシアスプリング１３３の弾性力によって反時計回りに回る。ここで、ボルト１２１はボルトスプリング１２４の弾性力によって玩具銃１０１の前方に移動しようとする。しかし、ボルト１２１の係止突起１２１ｆは、ストッパ部１３２ｄに引っかかって、それ以上前方に進まない。
【００６３】
この状態で、使用者がトリガ１０５を後方に引くと、トリガ１０５は反時計回りに回動し、ボルトシア押上部１０５ｃがボルトシア１３２の前方突出部１３２ｂを上方に変位させて、ボルトシア１３２を時計回りに回動させる。これにより、ボルト１２１の係止突起１２１ｆとボルトシア１３２のストッパ部１３２ｄとの係止状態が解除される。その後、ボルト１２１は、ボルトスプリング１２４に押されて前方に進む。
【００６４】
図１２は、図２に続いて、ボルト１２１が前方に移動した状態の玩具銃１０１の内部構造を示す左側面図である。ボルト１２１が前方に移動すると、前方スロープ１２１ｂの下面が給弾プレート１１４のスロープ１１４ｂを乗りあがるように滑って、給弾プレート１１４を押し下げる。給弾プレート１１４が下降すると、給弾プレート１１４の弾丸保持孔１１４ａは、バレル１１３の開口端１０３ａに対向する位置に位置付けられる。また、ボルト１２１が前方に移動すると、当接部１２１ｅ（筒体１５１及び開閉体１５３）は後蓋１２２ａの嵌合孔１２２ｆに入り込み、放出バルブ１２３の摺動突起１２３ｂを前方に押す。これにより、フランジ部１２３ａはパッキン１２２ｃから離れ、圧縮ガスは放出バルブ１２３の内空間を通って前方に抜けて給弾プレート１１４の弾丸保持孔１１４ａに流れる。
【００６５】
ここで、図８から図１１に基づいて前述したように、ボルト１２１が前方に移動する場合、嵌合受け部１２１ｉと後蓋１２２ａとに囲まれた空間ＳＰ内の空気は流路Ｕを通ってボルト１２１の外部に排出される。このため、ボルト１２１は、空間ＳＰ内の空気によって減速されることなく、素早く摺動突起１２３ｂを押圧する。
【００６６】
図１３は、図１２に続いて、弾丸Ｂが発射された直後の玩具銃１０１の内部構造を示す左側面図である。バルブボディ１２２の前方に流れてくる圧縮ガスは、弾丸保持孔１１４ａ内に位置する弾丸Ｂの後方の側面に当たる。そして、弾丸Ｂは、圧縮ガスの圧力を受けてバレル１１３の内部を前方に移動し、銃口１０３から飛び出す。また、フランジ部１２３ａとパッキン１２２ｃとが離反すると、圧縮ガスがボルト１２１を後方に押す。このとき、図１１に基づいて述べたように、蓋部１５５は筒体１５１を閉じている。このため、ボルト１２１を後方に押す圧縮ガスは、筒体１５１から外部に漏れない。
【００６７】
図１４は、図１３に続いて、ボルト１２１が後退した状態の玩具銃１０１の内部構造を示す左側面図である。ボルト１２１が圧縮ガスの圧力に押されて後方に移動すると、ボルト１２１の前方スロープ１２１ｂは給弾プレート１１４のスロープ１１４ｂから離反する。これにより、給弾プレートスプリング１１５は給弾プレート１１４を上方に押し上げる。その結果、弾丸保持孔１１４ａは、マガジン１１２の開口端１１２ｄに対向する位置に位置付けられる。弾丸Ｂは、マガジンフォロワ１１２ｃに押されて、弾丸保持孔１１４ａに入り込む。
【００６８】
ここで、ボルト１２１は、圧縮ガスに押されて素早く後方に移動する。このとき、開閉体１５３は筒体１５１に対して後方に位置付けられたままであり、嵌合受け部１２１ｉと後蓋１２２ａとに囲われた空間ＳＰは、外部と連通していない。このため、空間ＳＰに流入した圧縮ガスは、全て、ボルト１２１を後方に押す動力となる。
【００６９】
図１５は、図１４に続いて、開閉体１５３が前方に動いた状態の玩具銃１０１の内部構造を示す左側面図である。ボルト１２１が玩具銃１０１の後方に後退しきるまでに、開閉体１５３は前方に変位し、流路Ｕが形成される。この開閉体１５３の前方への変位は、開閉体スプリング１５２の弾性力によって行われても、抜け止め部１５６がフレーム１１１の後部内側面１１１ｂに当接することによって行われてもよい。
【００７０】
使用者がトリガ１０５を後方に引いている間、ボルトシア押上部１０５ｃは、ボルトシア１３２の前方突出部１３２ｂを押し上げている。このため、ボルトシア押上部１０５ｃのストッパ部１３２ｄは、下方に下がったままになる。これにより、ボルト１２１は、ボルトシア１３２に止められることなく、後退しきってからボルトスプリング１２４に押されて前進に転じる。このようにして、ボルト１２１は、ボルトスプリング１２４の弾性力及び圧縮ガスの圧力を受けて往復運動し、一往復する間に放出バルブ１２３に当接及び離反して、バレル１１３と気室１２６との連通を開閉する。そして、玩具銃１０１では、図２、図１２〜図１５に示す動きが繰り返されて、銃口１０３から弾丸Ｂが立て続けに発射される。
【００７１】
このように、本実施の形態の玩具銃１０１によれば、ボルト１２１が前進する間は嵌合受け部１２１ｉ内の空気を外部に排出するための流路Ｕが確保され、嵌合受け部１２１ｉ内の空気は流路Ｕに沿って流れて筒体１５１を通って外部に排出される。このため、ボルト１２１が放出バルブ１２３を押すときの衝撃が弱まらない。また、ボルト１２１が弾丸Ｂ発射後の圧縮ガスの力を受けるときに蓋部１５５は筒体１５１を閉じており、嵌合受け部１２１ｉ内に流入した圧縮ガスが外部に排出されない。このため、ボルト１２１を後方に押す圧縮ガスの圧力は弱まらない。これによって、ガス圧によって弾丸を発射する玩具銃１０１の弾丸Ｂ発射時及び反動（ブローバック）時の衝撃を、実銃に近づけることができ、かつ、弾丸Ｂの発射およびブローバックの作動を円滑に行わせることができる。
【００７２】
次いで、別の実施の一形態を、図１６（ａ）及び図１６（ｂ）に基づいて説明する。本実施の形態を、説明の便宜上、第２の実施の形態と呼ぶ。この場合、第１の実施の形態と同一の部分には同一の符号を用い、説明も省略する。
【００７３】
図１６（ａ）は、蓋部１５５が筒体１５１を閉じていない状態を示す、ボルト１２１、バルブボディ１２２及び放出バルブ１２３の左断面図である。本実施の形態では、放出バルブ１２３に備わる摺動突起１２３ｂは、バルブボディ１２２に備わる後蓋１２２ａの後方の端面近くまで突出している。そして、本実施の形態では、筒体１５１は、嵌合受け部１２１ｉの内側に突出していない。つまり、筒体１５１の嵌合受け部１２１ｉの内側の端面は、ボルト１２１の閉口端１２１ｄの内側面と面一となっている。
【００７４】
また、本実施の形態では、筒体１５１は、外側の端部に開閉体スプリング受け部１５７を有する。開閉体スプリング受け部１５７は、ボルト１２１の外側の端面から内側にリング状に突出している。そして、開閉体スプリング１５２は、一端が蓋部１５５に、他端が開閉体スプリング受け部１５７にそれぞれ当接している。
【００７５】
図１６（ｂ）は、蓋部１５５が筒体１５１を閉じている状態を示す、ボルト１２１、バルブボディ１２２及び放出バルブ１２３の左断面図である。本実施の形態では、開閉体１５３の蓋部１５５は、摺動突起１２３ｂに押されて後方に動き、ボルト１２１の閉口端１２１ｄに接触して、筒体１５１を閉じる。
【００７６】
本実施の形態の玩具銃１０１によっても、ボルト１２１が前進するときには、嵌合受け部１２１ｉ内の空気は筒体１５１を介して外部に排出される。一方で、ボルト１２１が弾丸Ｂ発射後の圧縮ガスの力を受けるときには、嵌合受け部１２１ｉ内に流入した圧縮ガスが外部に排出されない。そのため、ガス圧によって弾丸を発射する玩具銃１０１の弾丸Ｂ発射時及び反動（ブローバック）時の衝撃を、実銃に近づけることができる。さらに、本実施の形態の玩具銃１０１によれば、筒体１５１の長さを短くでき、開閉体１５３に備わる軸部１５４及び蓋部１５５は嵌合孔１２２ｆに深く入り込まず、そのため、構造が簡単になってボルト１２１の嵌合受け部１２１ｉ内部での不具合が発生しにくい。
【００７７】
次いで、別の実施の一形態を、図１７（ａ）及び図１７（ｂ）に基づいて説明する。本実施の形態を、説明の便宜上、第３の実施の形態と呼ぶ。この場合、第１の実施の形態及び第２の実施の形態と同一の部分には同一の符号を用い、説明も省略する。
【００７８】
図１７（ａ）は、蓋部１５５が筒体１５１を閉じていない状態を示す、ボルト１２１、バルブボディ１２２及び放出バルブ１２３の左断面図である。本実施の形態では、当接部１２１ｅは、嵌合受け部１２１ｉの内側に向けて閉口端１２１ｄから前方に突出する突起である。そして、筒体１５１は、ボルト１２１の閉口端１２１ｄにおいて、当接部１２１ｅから外れた箇所に設けられる。つまり、本実施の形態では、筒体１５１及び開閉体１５３は、ボルト１２１が前方に移動しても嵌合孔１２２ｆに入り込むことはなく、当接部１２１ｅとして機能しない。
【００７９】
また、本実施の形態では、閉口端１２１ｄは、その内側面に凹部１２１ｊを有する。凹部１２１ｊは、閉口端１２１ｄから玩具銃１０１の後方に陥没している。そして、開閉体１５３の蓋部１５５は、凹部１２１ｊの内部に位置付けられる。そして、開閉体スプリング１５２は、蓋部１５５を前方に押し、この蓋部１５５の前方面を閉口端１２１ｄの内側面と面一になる位置に位置付ける。
【００８０】
図１７（ｂ）は、当接部１２１ｅが放出バルブ１２３の摺動突起１２３ｂを押している状態を示す、ボルト１２１、バルブボディ１２２及び放出バルブ１２３の左断面図である。本実施の形態では、放出バルブ１２３のフランジ部１２３ａとパッキン１２２ｃとが離反して気室１２６内の圧縮ガスが後方に流入すると、後蓋１２２ａとボルト１２１とに囲われた空間内が圧縮ガスによって大気圧よりはるかに高圧になる。一例として、圧縮ガスに炭酸ガスを用いた場合、後蓋１２２ａとボルト１２１の嵌合受け部１２１ｉとに囲われた空間は、７０気圧以上となる。その結果、圧縮ガスが筒体１５１の蓋部１５５を後方に押し、蓋部１５５が凹部１２１ｊの底面に接触して、筒体１５１を閉じる。一方、ボルト１２１の動きが前進に転じるときには、後蓋１２２ａとボルト１２１の嵌合受け部１２１ｉとに囲われた空間内の気圧は、大気圧よりも若干高い程度のものになる。この場合の大気圧は、ボルトが後退する場合での圧縮ガスによる気圧よりもはるかに小さいものである。このため、開閉体１５３は開閉体スプリング１５２によって前方に押され、開閉体１５３が筒体１５１を完全に閉じることはない。
【００８１】
本実施の形態の玩具銃１０１によっても、ボルト１２１が前進するときには、嵌合受け部１２１ｉ内の空気は筒体１５１を介して外部に排出される。そのため、前進力が滅殺されることはない。一方で、ボルト１２１が弾丸Ｂ発射後の圧縮ガスの力を受けるときには、嵌合受け部１２１ｉ内に流入した圧縮ガスが外部に排出されない。そのため、ガス圧によって弾丸を発射する玩具銃１０１の弾丸Ｂ発射時及び反動（ブローバック）時の衝撃を、実銃に近づけることができる。さらに、本実施の形態の玩具銃１０１によれば、嵌合受け部１２１ｉの内部で放出バルブ１２３の摺動突起１２３ｂとボルト１２１の当接部１２１ｅとが衝突する箇所の構造が簡略化され、この部分での不具合が発生しにくい。
【００８２】
なお、第１ないし第３の実施の形態では、連射方式の玩具銃１０１を示したが、別の実施の形態として、筒体１５１、開閉体スプリング１５２及び開閉体１５３は単射方式の玩具銃にも、点射（バースト）方式の玩具銃にも適用できる。
【符号の説明】
【００８３】
１０１        玩具銃
１１３        バレル
１２１        ボルト
１２１ｄ      閉口端（ボルトの底部）
１２１ｅ      当接部
１２１ｇ      開口
１２１ｉ      嵌合受け部
１２１Ａ      押圧位置
１２１Ｂ      後退位置
１２２        バルブボディ
１２２ｂ      貫通孔
１２３        放出バルブ
１２３Ａ      閉位置
１２３Ｂ      開位置
１２４        ボルトスプリング
１２６        気室
１２９        放出バルブスプリング
１５１        筒体（連通部）
１５２        開閉体スプリング
１５３        開閉体
１５４        軸部
１５５        蓋部
１５６        抜け止め部
Ｔ            空隙
【図１】
2011047614.tif 000003
【図２】
2011047614.tif 000004
【図３】
2011047614.tif 000005
【図４】
2011047614.tif 000006
【図５】
2011047614.tif 000007
【図６】
2011047614.tif 000008
【図７】
2011047614.tif 000009
【図８】
2011047614.tif 000010
【図９】
2011047614.tif 000011
【図１０】
2011047614.tif 000012
【図１１】
2011047614.tif 000013
【図１２】
2011047614.tif 000014
【図１３】
2011047614.tif 000015
【図１４】
2011047614.tif 000016
【図１５】
2011047614.tif 000017
【図１６】
2011047614.tif 000018
【図１７】
2011047614.tif 000019